【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
ＮチャンネルオーディオシステムをＭチャンネルオーディオシステムに変換するシステムにおいて、
Ｍ及びＮは整数であって、ＮはＭより大きく、
オーディオデータのＮ個のチャンネルの１又は複数個を受信して、オーディオデータの前記Ｎ個のチャンネルの前記１又は複数個をオーディオデータの前記Ｍ個のチャンネルの１又は複数個に変換するリファレンスダウンミキサと、
オーディオデータの前記Ｍ個のチャンネルの前記１又は複数個を受信して、オーディオデータの前記Ｍ個のチャンネルの前記１又は複数個をオーディオデータのＮ'個のチャンネルの１又は複数個に変換するリファレンスアップミキサと、
オーディオデータの前記Ｍ個のチャンネルの前記１又は複数個、オーディオデータの前記Ｎ個のチャンネルの前記１又は複数個、及びオーディオデータの前記Ｎ'個のチャンネルの前記１又は複数個を受信して、オーディオデータの前記Ｎ個のチャンネルの前記１又は複数個とオーディオデータの前記Ｎ'個のチャンネルの前記１又は複数個の間の差に基づいて、オーディオデータの前記Ｍ個のチャンネルの前記１又は複数個を補正する補正システムとを備えるシステム。
【請求項２】
前記補正システムは、
オーディオデータの前記Ｎ個のチャンネルの前記１又は複数個を受信して、オーディオデータの１又は複数の第１のサブバンドを生成する第１サブバンドベクトル計算ステージと、
オーディオデータの前記Ｎ'個のチャンネルの前記１又は複数個を受信して、オーディオデータの１又は複数の第２のサブバンドを生成する第２サブバンドベクトル計算ステージとを更に備えており、
オーディオデータの前記１又は複数の第１のサブバンドと、オーディオデータの前記１又は複数の第２のサブバンドとを受信して、オーディオデータの前記１又は複数の第１のサブバンドとオーディオデータの前記１又は複数の第２のサブバンドの間の差に基づいて、オーディオデータの前記Ｍ個のチャンネルの前記１又は複数個を補正する、請求項１に記載のシステム。
【請求項３】
オーディオデータの前記１又は複数の第１のサブバンドの１又は複数個とオーディオデータの前記１又は複数の第２のサブバンドの１又は複数個の各々は、関連するエネルギの値及び位置の値を有する、請求項２に記載のシステム。
【請求項４】
前記位置の値は、オーディオデータのサブバンドの場所を示し、
前記場所の座標は、Ｎ個のサウンドソースの１又は複数に関するエネルギの値と、前記Ｎ個のサウンドソースの１又は複数に関する座標とのベクトル和で決定される、請求項３に記載のシステム。
【請求項５】
前記リファレンスダウンミキサは、２以上の位相シフトステージを更に備えており、
前記２以上の位相シフトステージの各々は、オーディオデータの前記Ｎ個のチャンネルの１つを受信して、オーディオデータの関連するチャンネルに、所定の位相シフトを施す、請求項１に記載のシステム。
【請求項６】
前記リファレンスダウンミキサは、前記２以上の位相シフトステージの２個以上と結合すると共に、前記２以上の位相シフトステージの前記２個以上の出力を所定の方法で組み合わせる１又は複数の加算ステージを更に備えている、請求項５に記載のシステム。
【請求項７】
前記リファレンスアップミキサは、
オーディオデータの前記Ｍ個のチャンネルの１又は複数個を受信して、オーディオデータの１又は複数のサブバンドを生成する時間ドメイン−周波数ドメイン変換ステージと、
オーディオデータの前記１又は複数のサブバンドの前記Ｍ個のチャンネルの１又は複数個を受信して、１又は複数のフィルタを生成するフィルタジェネレータとを備える、請求項１に記載のシステム。
【請求項８】
前記１又は複数のフィルタを受信して、前記１又は複数のフィルタの各々を平均化する平滑化ステージと、
前記平滑化ステージと結合すると共に、オーディオデータの前記１又は複数のサブバンドの前記Ｍ個のチャンネルの前記１又は複数個と、平滑化された前記１又は複数のフィルタとを受信し、オーディオデータの前記１又は複数のサブバンドのスケーリングされた前記Ｎ'個のチャンネルの１又は複数個を生成する乗算ステージと、
オーディオデータの前記１又は複数のサブバンドのスケーリングされた前記Ｎ'個のチャンネルの前記１又は複数個を受信して、オーディオデータの前記Ｎ'個のチャンネルの前記１又は複数個を生成する周波数ドメイン−時間ドメイン変換ステージとを備える、請求項７に記載のシステム。
【請求項９】
前記補正システムは、第１サブバンドベクトル計算ステージを備えており、
前記第１サブバンドベクトル計算ステージは、
オーディオデータの前記Ｎ個のチャンネルの１又は複数を受信して、オーディオデータの１又は複数の第３のサブバンドを生成する時間ドメイン−周波数ドメイン変換ステージと、
オーディオデータの前記１又は複数の第３のサブバンドの１又は複数個を受信して、受信した各サブバンドについてエネルギの値を生成するサブバンドエネルギステージと、
オーディオデータの前記１又は複数の第３のサブバンドの１又は複数個を受信して、受信した各サブバンドについて位置ベクトルを生成するサブバンド位置ステージとを備える、請求項１に記載のシステム。
【請求項１０】
前記補正システムは、第２サブバンドベクトル計算ステージを更に備えており、
前記第２サブバンドベクトル計算ステージは、
オーディオデータの前記Ｎ'個のチャンネルの１又は複数個を受信して、オーディオデータの１又は複数の第４のサブバンドを生成する時間ドメイン−周波数ドメイン変換ステージと、
オーディオデータの前記１又は複数の第４のサブバンドの１又は複数個を受信して、受信した各サブバンドについてエネルギの値を生成する第２サブバンドエネルギステージと、
オーディオデータの前記１又は複数の第４のサブバンドの１又は複数個を受信して、受信した各サブバンドについて位置ベクトルを生成する第２サブバンド位置ステージとを備える、請求項８に記載のシステム。
【請求項１１】
ＮチャンネルオーディオシステムからＭチャンネルオーディオシステムに変換する方法において、
Ｎ及びＭは整数であって、ＮはＭよりも大きく、
オーディオデータのＮ個のチャンネルの１又は複数個をオーディオデータのＭ個のチャンネルの１又は複数個に変換する工程と、
オーディオデータの前記Ｍ個のチャンネルの前記１又は複数個をオーディオデータのＮ'個のチャンネルの１又は複数個に変換する工程と、
オーディオデータの前記Ｍ個のチャンネルの前記１又は複数個をオーディオデータのＮ'個のチャンネルの前記１又は複数個に変換した後に、オーディオデータの前記Ｍ個のチャンネルの前記１又は複数個を伝送する工程と、
を含む方法。
【請求項１２】
オーディオデータの前記Ｍ個のチャンネルの前記１又は複数個を伝送する前に、工オーディオデータの前記Ｎ個のチャンネルの１又は複数個とオーディオデータの前記Ｎ'個のチャンネルの１又は複数個の間の差に基づいて、オーディオデータの前記Ｍ個のチャンネルの前記１又は複数個を補正する工程を更に含む、請求項１１に記載の方法。
【請求項１３】
オーディオデータの前記Ｎ個のチャンネルの１又は複数個をオーディオデータの前記Ｍ個のチャンネルの１又は複数個に変換する工程は、オーディオデータの前記Ｎ個のチャンネルの１又は複数個を位相シフト関数を用いて処理し、オーディオデータの関連するチャンネルに所定の位相シフトを与える工程を含む、請求項１１に記載の方法。
【請求項１４】
オーディオデータの前記Ｍ個のチャンネルの１又は複数個をオーディオデータの前記Ｎ'個のチャンネルの１又は複数個に変換する工程は、
オーディオデータの前記Ｍ個のチャンネルの１又は複数個を、時間ドメインから周波数ドメインに変換する工程と、
周波数ドメインのオーディオデータである前記Ｍ個のチャンネルの１又は複数個を用いて、１又は複数のフィルタを生成する工程と、
前記１又は複数のフィルタの１又は複数個を平滑化する工程と、
平滑化された１又は複数のフィルタの１又は複数個に、周波数ドメインのデータの前記Ｍチャンネルの１又は複数個を掛けて、周波数のデータの前記Ｎ'個のチャンネルの１又は複数個を生成する工程と、
周波数のデータの前記Ｎ'個のチャンネルの１又は複数個を、周波数ドメインから時間ドメインに変換する工程とを含む、請求項１１に記載の方法。
【請求項１５】
オーディオデータの前記Ｎ個のチャンネルの１又は複数個とオーディオデータの前記Ｎ'個の１又は複数個のチャンネルの間の差に基づいて、オーディオデータの前記Ｍ個のチャンネルの１又は複数個を補正する工程は、オーディオデータの前記Ｎ個のチャンネルの１又は複数個について、エネルギ及び位置ベクトルを決定する工程を含む、請求項１１に記載の方法。
【請求項１６】
オーディオデータの前記Ｍ個のチャンネルの１又は複数個について、エネルギ及び位置ベクトルを調整する工程を含んでおり、
オーディオデータの調整された前記Ｍ個のチャンネルは、１又は複数のエネルギ及び位置ベクトルを有するオーディオデータのＮ''個のチャンネルの１又は複数個に変換され、
前記１又は複数のエネルギ及び位置ベクトルは、オーディオデータの前記Ｎ'個のチャンネルの１又は複数個の対応するエネルギ及び位置ベクトルよりも、オーディオデータの前記Ｎ個のチャンネルの１又は複数個のエネルギ及び位置ベクトルに近い、請求項１１に記載の方法。
【請求項１７】
位相シフト関数を用いて処理した後に、オーディオデータの前記Ｎ個のチャンネルの２個以上を組み合わせて、オーディオデータの前記Ｍ個のチャンネルの１又は複数においてオーディオデータの前記Ｎ個のチャンネルの２個以上が所定の位相関係を有するようにオーディオデータの前記Ｍ個のチャンネルの１又は複数個を生成する工程を更に含む、請求項１１に記載の方法。